(57)【要約】【解決手段】耕耘軸シール構造７３は、耕耘筒７２の端部９５とこの耕耘筒７２から両端９６が突出する耕耘軸７１との間に、軸受け８５並びにこの軸受け８５へ外から異物が向かうことを防止するシール部材８６をこの順に介設し、異物がシール部材８６に向かうことを防止する第１シールプレート９１を耕耘筒７２と耕耘軸７１との間に介設し、この第１シールプレート９１を囲う筒状カバー９２を耕耘筒７２側から延ばし、異物が第１シールプレート９１へ向かうことを防止する第２シールプレート９３を筒状カバー９２と耕耘軸７１との間に介設したものである。【効果】シール部材に向けて異物が侵入するのを抑制することができ、異物の侵入は極めて遅くなり、シール部材の耐久性の向上を図ることができる。【選択図】        図５
2004215618.tif 000002
【特許請求の範囲】
【請求項１】
耕耘軸を支持ケースに回転自在に嵌合するとともに、支持ケースと耕耘軸との間にシール部材を介設したロータリ耕耘装置において、
前記支持ケースと耕耘軸との間に回転自在に耕耘筒を嵌合し、この耕耘筒の端部とこの耕耘筒から両端が突出する耕耘軸との間に、軸受け並びにこの軸受けへ外から異物が向かうことを防止する前記シール部材をこの順に介設し、異物が前記シール部材に向かうことを防止する第１シールプレートを耕耘筒と耕耘軸との間に介設し、この第１シールプレートを囲う筒状カバーを耕耘筒側から延ばし、異物が前記第１シールプレートへ向かうことを防止する第２シールプレートを前記筒状カバーと耕耘軸との間に介設し、
前記シール部材に向かう異物を、第２シールプレート、筒状カバーおよび第１シールプレートで多重に阻止することを特徴とするロータリ耕耘装置の耕耘軸シール構造。
【発明の詳細な説明】
【０００１】
【発明の属する技術分野】
本発明は耕耘機に設けたロータリ耕耘装置の耕耘軸シール構造に関する。
【０００２】
【従来の技術】
従来の耕耘機の耕耘軸シール構造は、耕耘軸に嵌合したオイルシールへ異物が侵入するのを阻止するカバーをオイルシールの前に配置した構造である（例えば、特許文献１参照。）。
【０００３】
【特許文献１】
実開昭５９−１３１３７８号公報  （第４−６頁、第２図）
【０００４】
特許文献１を、図面を参照の上、詳しく説明する。
図７は従来の移動農機の車軸駆動部の説明図である（特許文献１の第２図を写したもの。）。
従来の車軸駆動部は、伝動ケース２（符号は同公報に記載されたものを流用した。以下同様。）にベアリング１０およびオイルシール１１を介して車軸１を取り付けるとともに、車軸１に取り付けた椀状体１２および伝動ケース２側に設けた環状突起部１４ａを有し、侵入異物によるオイルシール１１の損傷を防止することができるというものである。
【０００５】
【発明が解決しようとする課題】
しかし、上記図７の車軸駆動部では、環状突起部１４ａと椀状体１２との間から土や草などの異物が侵入しやすく、異物を除去する頻度が高くなり、手間がかかる。
また、車軸１に椀状体１２および筒車軸１３をピンで連結した構成のため、ピンとピン孔との隙間により、椀状体１２および筒車軸１３はともに、軸線方向に矢印の如く移動することがあり、移動することで、椀状体１２内に溜まった異物をオイルシール１１に押し付けて、オイルシール１１の寿命を早めることがある。
【０００６】
そこで、本発明の目的は、耕耘軸と耕耘筒との間に設けたシール部材に向けて異物が侵入するのを抑制し、シール部材の耐久性の向上を図るロータリ耕耘装置の耕耘軸シール構造を提供することにある。
【０００７】
【課題を解決するための手段】
上記目的を達成するために請求項１は、耕耘軸を支持ケースに回転自在に嵌合するとともに、支持ケースと耕耘軸との間にシール部材を介設したロータリ耕耘装置において、支持ケースと耕耘軸との間に回転自在に耕耘筒を嵌合し、この耕耘筒の端部とこの耕耘筒から両端が突出する耕耘軸との間に、軸受け並びにこの軸受けへ外から異物が向かうことを防止するシール部材をこの順に介設し、異物がシール部材に向かうことを防止する第１シールプレートを耕耘筒と耕耘軸との間に介設し、この第１シールプレートを囲う筒状カバーを耕耘筒側から延ばし、異物が第１シールプレートへ向かうことを防止する第２シールプレートを筒状カバーと耕耘軸との間に介設し、シール部材に向かう異物を、第２シールプレート、筒状カバーおよび第１シールプレートで多重に阻止することを特徴とする。
【０００８】
ロータリ耕耘装置の耕耘軸および耕耘筒を回転させて土を耕耘すると、耕耘筒および耕耘軸に土や草などの異物が付着するが、異物が直接付く外面では、第２シールプレートと筒状カバーとで異物の侵入を減少させ、引き続き、通過した異物の侵入をシール部材の前に配置した次なる第１シールプレートでさらに減少させる。つまり、シール部材に向かう異物を、第２シールプレート、筒状カバーおよび第１シールプレートで多重に阻止することで、異物の侵入を妨げ、シール部材の耐久性の向上を図れる。
【０００９】
【発明の実施の形態】
本発明の実施の形態を添付図に基づいて以下に説明する。なお、図面は符号の向きに見るものとする。
図１は本発明に係る耕耘軸シール構造を採用した歩行型ロータリ耕耘機の斜視図である。図右上の「左」「右」「上」「下」は作業者から見た方向、「前」は前進側、「後」はその逆側をいう。
【００１０】
歩行型ロータリ耕耘機１０（以下では単に「耕耘機１０」と記す。）は、駆動源としてのエンジン１１から動力伝達装置１２を介して左右の走行車輪１３，１４（図３参照）およびこれらの走行車輪１３，１４の前方に配置した左右のロータリ耕耘装置１５，１６へ動力を伝達し、動力伝達装置１２の後部に畝立て装置１７（図２参照）などの作業装置を連結する構造を有した農業機械であり、ロータリ耕耘装置１５，１６で圃場を耕しながら、例えば畝立て装置１７で畝を立てる。
【００１１】
図２は本発明に係る耕耘機の側面図であり、耕耘機１０はまた、機体の上部に配置したエンジン１１と、このエンジン１１の下部に図に示していないクラッチ（クラッチケース１１ａ）を介して取り付けた動力伝達装置１２と、この動力伝達装置１２の前部に回転可能に取り付けたロータリ耕耘装置１５，１６と、動力伝達装置１２の後部に左・右車軸１３ａ，１４ａ（図３参照）を介して回転可能に取り付けた走行車輪１３，１４と、動力伝達装置１２の後部から後方斜め上方に延ばしたハンドル１８と、動力伝達装置１２の後端に取り付けた連結機構２１とからなる。Ｇは走行面を示す。
【００１２】
ここで、３１は動力伝達装置１２の前端部に上下に位置調整可能に取り付けた走行補助輪、３２は動力伝達装置１２およびロータリ耕耘装置１５，１６の上方を覆うフェンダ、３３はエンジン１１の上方を覆うエンジンカバー、３４はエアクリーナ、３５は燃料タンク給油口用キャップ、３６は変速レバー、３７はデフロック用レバー、３８はクラッチレバー、４１は連結機構２１に連結した作業装置を跳ね上げるための跳ね上げレバー、４２は連結機構２１に連結した作業装置の沈み込み位置を調整する沈み込み位置調整レバーである。
【００１３】
図３は本発明に係る耕耘機の平面図であり、耕耘機１０は、ハンドル１８の右側前部に、エンジン１１を始動させるリコイルスタータ用ノブ５１と、エンジン１１の出力を調整するスロットルレバー５２と、前述のデフロック用レバー３７を配置し、ハンドル１８の左側後部にエンジン１１を停止させるエンジンスイッチ５３を取り付け、ハンドル１８の後部にクラッチレバー３８を取り付け、動力伝達装置１２（図１参照）の後部中央から後方へ変速レバー３６を延ばし、連結機構２１の後部左部から後方へ跳ね上げレバー４１を延ばしたことを示す。
【００１４】
図４は図２の４−４線断面図であり、ロータリ耕耘装置１５および動力伝達装置１２を示す。
動力伝達装置１２は、支持ケース１２ａと、支持ケース１２ａ内の第１チェーン６１を介して駆動する中間伝動手段６２（第１・第２鎖歯車６３，６４、第１歯車６５，６５、第２チェーン６６）を有する。
【００１５】
ロータリ耕耘装置１５は、動力伝達装置１２により回転する耕耘軸７１と、動力伝達装置１２により回転し且つ支持ケース１２ａと耕耘軸７１との間に回転自在に嵌合した耕耘筒７２と、これらの耕耘軸７１と耕耘筒７２間に設けた耕耘軸シール構造７３と、耕耘筒７２に取り付けた内側耕耘爪７４と、耕耘軸７１に取り付けた外側耕耘爪７５と、からなる。
【００１６】
耕耘筒７２は、内筒７６に外筒７７をボルト７８で固定したもので、内筒７６に設けた第２歯車８１を介して内側耕耘爪７４を走行車輪１３（図１参照）の回転方向ａ（図１参照）と同じ回転方向ｂ（図１参照）に回転させる。
【００１７】
耕耘軸７１は、軸端に管部材８２をピン８３で取り付け、軸中央に嵌合した第３鎖歯車８４を介して外側耕耘爪７５を走行車輪１３（図１参照）の回転方向ａ（図１参照）に対して逆の回転方向ｃ（図１参照）に回転させる。その際、管部材８２とピン８３との隙間（ゆるいすきまばめのため）により、管部材８２および外側耕耘爪７５はともに、耕耘軸７１の中心軸線Ｃの方向に矢印の如く僅かな距離だけ移動する。８５は耕耘筒７２と耕耘軸７１との間に介設した軸受け、８６は耕耘筒７２と耕耘軸７１との間に介設したシール部材を示す。
【００１８】
なお、耕耘軸７１は中央の対称中心線８７を中心にほぼ対称の形状であり、ロータリ耕耘装置１６にも含まれる。
ロータリ耕耘装置１６は、ロータリ耕耘装置１５とほぼ同様であり、ロータリ耕耘装置１６の説明を省略する。
【００１９】
耕耘軸シール構造７３は、耕耘筒７２に固定した第１シールプレート９１および筒状カバー９２と、耕耘軸７１に固定した第２シールプレート９３と、からなる。次図で詳細に説明する。
【００２０】
図５は図４の５部詳細図であり、耕耘軸シール構造７３を示す。
耕耘軸シール構造７３は、具体的には、耕耘筒７２の端部９５とこの耕耘筒７２から両端９６，９６（図４参照）が突出する耕耘軸７１との間に、軸受け８５並びにこの軸受け８５へ外から異物が向かう（矢印▲１▼の方向）ことを防止するシール部材８６をこの順に介設し、異物がシール部材８６に向かうことを防止する第１シールプレート９１を耕耘筒７２と耕耘軸７１との間に介設し、この第１シールプレート９１を囲う筒状カバー９２を耕耘筒７２側から延ばし（矢印▲２▼の方向）、異物が第１シールプレート９１へ向かうことを防止する第２シールプレート９３を筒状カバー９２と耕耘軸７１との間に介設したものである。
【００２１】
筒状カバー９２は、耕耘筒７２に一端９７を溶接で固定し、他端９８を第２シールプレート９３の側面１０１に一致するまで延ばした管で、少なくとも他端９８が側面１０１に一致するように全長をＬ１に設定した。
筒状カバー９２の全長は、Ｌ１から第２シールプレート９３の側面１０１より外側（矢印▲２▼の方向）に二点鎖線で示すように出るＬ２の範囲に設定する。全長Ｌ２はピン８３など他の部品に干渉しない長さであり、Ｌ１×１．５を目安とする。
【００２２】
第１シールプレート９１の配置位置は、シール部材８６と管部材８２の間である。
管部材８２の基端１０２には、面取り部１０３を形成した。
【００２３】
以上に述べたロータリ耕耘装置の耕耘軸シール構造の作用を次に説明する。
図５に示すように、耕耘などの農作業中に異物が耕耘軸７１や耕耘筒７２に付着して端部９５から次第に侵入するが、耕耘筒７２と耕耘軸７１との間に第１シールプレート９１を介設したので、第１シールプレート９１によって、第１シールプレート９１より奥へ（矢印▲１▼の方向）異物が侵入するのを抑制することができる。
【００２４】
筒状カバー９２を耕耘筒７２側から第２シールプレート９３の側面１０１に一致するまで延ばしたので、農作業中に草が筒状カバー９２に巻き付いて、筒状カバー９２の回転に伴い次第に締まって第２シールプレート９３に達しても、締まった草は第２シールプレート９３に掛り難く、草の巻き付き防止効果をより高めることができる。
【００２５】
このように耕耘軸シール構造７３は、シール部材８６に向かう異物を、第２シールプレート９３、筒状カバー９２および第１シールプレート９１で多重に阻止する構造なので、異物の侵入は極めて遅くなり、シール部材８６の耐久性の向上を図ることができる。
【００２６】
管部材８２の基端１０２に面取り部１０３を形成すると、板厚は減少して先端の断面積は小さくなる。その結果、管部材８２が矢印▲１▼の方向に繰り返し微動しても、第１シールプレート９１の前に達した異物内に入り込みやすく、異物は移動し難くなる。従って、シール部材８６に向けて異物が侵入するのを抑制することができるとともに、シール部材８６の耐久性の向上を図ることができる。
【００２７】
また、管部材８２の基端１０２に面取り部１０３を形成したので、第１シールプレート９１の前に達した異物を第１シールプレート９１に押し付けることなく面取り部１０３の傾斜面に沿って逆方向（矢印▲２▼の方向）に逃がして、端部９５内の空間に滞留させることができる。従って、シール部材８６に向けて異物が侵入し難くなり、シール部材８６の耐久性の向上を図ることができる。
【００２８】
耕耘軸シール構造７３は、耕耘筒７２に固定した第１シールプレート９１および筒状カバー９２と、耕耘軸７１に固定した第２シールプレート９３と、からなる構成なので、部品点数が少なく、ロータリ耕耘装置１６の生産コストを抑えることができる。
【００２９】
耕耘軸シール構造７３では、耕耘筒７２に第１シールプレート９１を備えた構成なので、簡単な構造となり、耕耘筒７２と耕耘軸７１との間に侵入した異物を取り除く作業は容易である。
【００３０】
図６（ａ），（ｂ）は耕耘軸シール構造の比較図である。
（ａ）は比較例で、従来の耕耘軸シール構造１２１を示す。従来の耕耘軸シール構造１２１は、耕耘筒１２２側から全長Ｌ３（Ｌ３＜Ｌ１）の筒状カバー１２３を延ばし、耕耘軸１２４に第２シールプレート１２５を取り付けたもので、シール部材１２６へ異物が矢印▲３▼，▲４▼の如く侵入しやすい。
【００３１】
（ｂ）は図５を写した実施の形態で、本発明の耕耘軸シール構造は既に説明したように異物が矢印▲５▼，▲６▼の如く侵入し難い。
従って、本発明の構造によれば、シール部材８６に向けて異物が侵入するのを抑制することができるとともに、シール部材８６の耐久性の向上を図ることができる。
【００３２】
尚、本発明の実施の形態に示した耕耘軸シール構造７３に対してさらにシールプレートなど他の部品を追加して、異物の侵入径路をより複雑にし且つ、径路が長くなるように構成してもよい。
耕耘軸シール構造７３で採用する部品間の隙間の値は、任意である。
第１シールプレート９１や筒状カバー９２を溶接で固定したが、溶接以外のもので固定してもよく、例えば、着脱可能な構成とすることも可能である。
【００３３】
【発明の効果】
本発明は上記構成により次の効果を発揮する。
請求項１では、耕耘軸シール構造は、異物がシール部材に向かうことを防止する第１シールプレートを耕耘筒と耕耘軸との間に介設し、この第１シールプレートを囲う筒状カバーを耕耘筒側から延ばし、異物が第１シールプレートへ向かうことを防止する第２シールプレートを筒状カバーと耕耘軸との間に介設し、シール部材に向かう異物を、第２シールプレート、筒状カバーおよび第１シールプレートで多重に阻止する構成なので、耕耘軸と耕耘筒との間に設けたシール部材に向けて異物が侵入するのを抑制することができ、異物の侵入は極めて遅くなり、シール部材の耐久性の向上を図ることができる。
【図面の簡単な説明】
【図１】本発明に係る耕耘軸シール構造を採用した歩行型ロータリ耕耘機の斜視図
【図２】本発明に係る耕耘機の側面図
【図３】本発明に係る耕耘機の平面図
【図４】図２の４−４線断面図
【図５】図４の５部詳細図
【図６】耕耘軸シール構造の比較図
【図７】従来の移動農機の車軸駆動部の説明図
【符号の説明】
１１…エンジン（駆動源）、１２ａ…支持ケース、１５，１６…ロータリ耕耘装置、７１…耕耘軸、７２…耕耘筒、７４…内側耕耘爪、７５…外側耕耘爪、７３…耕耘軸シール構造、８５…軸受け、８６…シール部材、９１…第１シールプレート、９２…筒状カバー、９３…第２シールプレート、９５…耕耘筒の端部、９６，９６…耕耘軸の両端、ｂ…内側耕耘爪の回転方向、ｃ…外側耕耘爪の回転方向。
【図１】
2004215618.tif 000003
【図２】
2004215618.tif 000004
【図３】
2004215618.tif 000005
【図４】
2004215618.tif 000006
【図５】
2004215618.tif 000007
【図６】
2004215618.tif 000008
【図７】
2004215618.tif 000009